(57)【要約】【課題】光の屈折効果を楽しむことができ、且つ外観を多様に変化させることができるデザイン性に優れた置物を提供する。【解決手段】本考案の置物１は、上下方向に貫通する貫通孔２１を１つ有するアクリル樹脂製の透明構造体２（例えば、板状体等）が２段以上に積み重ねられており、積み重ねられた全体形状は柱状（例えば、四角柱状等）であり、且つ各透明構造体２の前記貫通孔２１を全て貫通するように１本の支柱３（例えば、筒状体等）が配設されており、この支柱３を回転軸として各透明構造体２が独立に回転可能である。【選択図】  図２
0003128189.tif 000002
【実用新案登録請求の範囲】
【請求項１】
上下方向に貫通する貫通孔を１つ有する透明構造体が２段以上に積み重ねられており、積み重ねられた全体形状は柱状であり、且つ各透明構造体の前記貫通孔を全て貫通するように１本の支柱が配設されており、該支柱を回転軸として各透明構造体が独立に回転可能であることを特徴とする置物。
【請求項２】
前記透明構造体の形状が、多角形、楕円形又は円形の横断面を有する柱状体である請求項１に記載の置物。
【請求項３】
前記全体形状が、四角柱状、楕円柱状又は円柱状である請求項２に記載の置物。
【請求項４】
前記透明構造体の厚みが、１０〜５０ｍｍである請求項３に記載の置物。
【請求項５】
前記透明構造体の材質が、アクリル樹脂である請求項３又は４に記載の置物。
【請求項６】
更に、前記透明構造体の表面の少なくとも一部に加飾層を備える請求項５に記載の置物。
【請求項７】
更に、前記透明構造体の下面の少なくとも一部に加飾層を備える請求項５に記載の置物。
【請求項８】
前記加飾層が、インクジェット印刷により形成されている請求項６又は７に記載の置物。
【請求項９】
前記透明構造体が３〜１０個である請求項５乃至８のいずれかに記載の置物。
【請求項１０】
更に、上面側が開放された有底の孔部を有する最下段用透明構造体を最下段に備え、且つ前記支柱の底部が前記孔部に収納される請求項５乃至９のいずれかに記載の置物。
【請求項１１】
前記支柱が、透明な有底状の筒体である請求項５乃至１０のいずれかに記載の置物。
【請求項１２】
花器として用いる請求項１１に記載の置物。
【請求項１３】
（Ａ）四角形の横断面を有する柱状体であり、上下方向に貫通する貫通孔を１つ有しており、且つアクリル樹脂からなる透明構造体と、（Ｂ）前記透明構造体の表面の少なくとも一部に形成された加飾層と、（Ｃ）１本の支柱と、を備える置物であって、
前記透明構造体は２段以上に積み重ねられており、積み重ねられた全体形状は柱状であり、前記加飾層はインクジェット印刷により形成されており、且つ前記支柱は各透明構造体の前記貫通孔を全て貫通するように配設されており、各透明構造体は前記支柱を回転軸として独立に回転可能であることを特徴とする置物。
【請求項１４】
（Ａ）四角形の横断面を有する柱状体であり、上下方向に貫通する貫通孔を１つ有しており、且つアクリル樹脂からなる透明構造体と、（Ｂ）前記透明構造体の下面の少なくとも一部に形成された加飾層と、（Ｃ）１本の透明な有底状の筒体と、を備える置物であって、
前記透明構造体は３〜１０段積み重ねられており、積み重ねられた全体形状は柱状であり、前記加飾層はインクジェット印刷により形成されており、且つ前記筒体は各透明構造体の前記貫通孔を全て貫通するように配設されており、各透明構造体は前記筒体を回転軸として独立に回転可能であることを特徴とする置物。
【考案の詳細な説明】
【技術分野】
【０００１】
本考案は、置物に関し、更に詳しくは、光の屈折効果を楽しむことができ、且つ外観を多様に変化させることができるデザイン性に優れた置物に関する。
本考案の置物は、インテリアや花器等の分野において有用である。
【背景技術】
【０００２】
従来より、多種多様のデザインや素材のインテリア及び花器等の置物が造られ、実用に供せられている（例えば、特許文献１参照）。
【０００３】
【特許文献１】特開２００６−２３０７４４号公報
【考案の開示】
【考案が解決しようとする課題】
【０００４】
しかしながら、インテリアや花器等として、より斬新なデザイン、色彩を求める声も多い。
本考案は、前記実情に鑑みてなされたものであって、光の屈折効果を楽しむことができ、且つ外観を多様に変化させることができるデザイン性に優れた置物を提供することを課題とする。
【課題を解決するための手段】
【０００５】
本考案は、以下のとおりである。
［１］上下方向に貫通する貫通孔を１つ有する透明構造体が２段以上に積み重ねられており、積み重ねられた全体形状は柱状であり、且つ各透明構造体の前記貫通孔を全て貫通するように１本の支柱が配設されており、該支柱を回転軸として各透明構造体が独立に回転可能であることを特徴とする置物。
［２］前記透明構造体の形状が、多角形、楕円形又は円形の横断面を有する柱状体である前記［１］に記載の置物。
［３］前記全体形状が、四角柱状、楕円柱状又は円柱状である前記［２］に記載の置物。
［４］前記透明構造体の厚みが、１０〜５０ｍｍである前記［３］に記載の置物。
［５］前記透明構造体の材質が、アクリル樹脂である前記［３］又は［４］に記載の置物。
［６］更に、前記透明構造体の表面の少なくとも一部に加飾層を備える前記［５］に記載の置物。
［７］更に、前記透明構造体の下面の少なくとも一部に加飾層を備える前記［５］に記載の置物。
［８］前記加飾層が、インクジェット印刷により形成されている前記［６］又は［７］に記載の置物。
［９］前記透明構造体が３〜１０個である前記［５］乃至［８］のいずれかに記載の置物。
［１０］更に、上面側が開放された有底の孔部を有する最下段用透明構造体を最下段に備え、且つ前記支柱の底部が前記孔部に収納される前記［５］乃至［９］のいずれかに記載の置物。
［１１］前記支柱が、透明な有底状の筒体である前記［５］乃至［１０］のいずれかに記載の置物。
［１２］花器として用いる前記［１１］に記載の置物。
［１３］（Ａ）四角形の横断面を有する柱状体であり、上下方向に貫通する貫通孔を１つ有しており、且つアクリル樹脂からなる透明構造体と、（Ｂ）前記透明構造体の表面の少なくとも一部に形成された加飾層と、（Ｃ）１本の支柱と、を備える置物であって、前記透明構造体は２段以上に積み重ねられており、積み重ねられた全体形状は柱状であり、前記加飾層はインクジェット印刷により形成されており、且つ前記支柱は各透明構造体の前記貫通孔を全て貫通するように配設されており、各透明構造体は前記支柱を回転軸として独立に回転可能であることを特徴とする置物。
［１４］（Ａ）四角形の横断面を有する柱状体であり、上下方向に貫通する貫通孔を１つ有しており、且つアクリル樹脂からなる透明構造体と、（Ｂ）前記透明構造体の下面の少なくとも一部に形成された加飾層と、（Ｃ）１本の透明な有底状の筒体と、を備える置物であって、前記透明構造体は３〜１０段積み重ねられており、積み重ねられた全体形状は柱状であり、前記加飾層はインクジェット印刷により形成されており、且つ前記筒体は各透明構造体の前記貫通孔を全て貫通するように配設されており、各透明構造体は前記筒体を回転軸として独立に回転可能であることを特徴とする置物。
【考案の効果】
【０００６】
本考案の置物によれば、独立に回転可能な２段以上に積み重ねられた透明構造体を有しているため、外観を多様に変化させることができ、且つ光の屈折効果を楽しむことができる。
また、前記透明構造体の形状が、多角形、楕円形又は円形の横断面を有する柱状体である場合には、よりデザイン性に優れた置物とすることができる。
更に、前記全体形状が、四角柱状、楕円柱状又は円柱状である場合には、よりデザイン性に優れた置物とすることができる。
また、前記透明構造体が特定の厚みを有する場合には、光の屈折効果をより楽しむことができる。
更に、前記透明構造体の材質を、アクリル樹脂とした場合には、原料の入手が比較的容易であり、本置物を安価に製造することができる。
【０００７】
また、前記透明構造体の表面の少なくとも一部、或いは下面の少なくとも一部に加飾層を備える場合には、加飾層の実像に加え、光の屈折効果により加飾層の虚像が透明構造体に映し出され、より趣きがあり、デザイン性に優れた置物とすることができる。
更に、前記加飾層が、インクジェット印刷により形成されている場合には、デジタル写真等のデータを用いることにより、透明構造体に高精細な画像を表現することができ、よりデザイン性に優れた置物とすることができる。
また、本置物が前記透明構造体を特定の個数備える場合には、外観をより多様に変化させることができ、デザイン性に優れた置物とすることができる。
更に、最下段用透明構造体を最下段に備える場合には、持ち運びの際における支柱の落下を防ぐことができる。
また、前記支柱が、透明な有底状の筒体である場合には、生花や造花等を飾って一輪挿し等の花器として利用することができる。更には、ライト等の発光物や着色された液体等を挿入することで、よりデザイン性に優れた置物とすることができる。
【０００８】
また、透明構造体と、その表面に形成された加飾層と、支柱と、を備える置物によれば、独立に回転可能な透明構造体を有しているため、外観を多様に変化させることができ、且つ光の屈折効果により加飾層の虚像が透明構造体に映し出され、より趣きを感じることができる。
更に、透明構造体と、その下面に形成された加飾層と、透明な有底状の筒体とを備える置物によれば、独立に回転可能な透明構造体を有しているため、外観を多様に変化させることができ、且つ光の屈折効果により加飾層の虚像が透明構造体に映し出され、より趣きを感じることができる。
【考案を実施するための最良の形態】
【０００９】
以下、本考案を、更に詳しく説明する。
本考案の置物は、上下方向に貫通する貫通孔を１つ有する透明構造体が２段以上に積み重ねられており、積み重ねられた全体形状は柱状であり、且つ各透明構造体の前記貫通孔を全て貫通するように１本の支柱が配設されており、該支柱を回転軸として各透明構造体が独立に回転可能であることを特徴とする。
【００１０】
前記「透明構造体」の形状は特に限定されず、例えば、柱状体（錐台状のものを含む）、塊状体等を挙げることができる。尚、前記柱状体は板状体であってもよい。
これらのなかでも、三角形、四角形、五角形、六角形及び八角形等の多角形、楕円形又は円形の横断面を有する柱状体が好ましく、特に四角形、楕円形の横断面を有する板状体が好ましい。尚、多角形の場合、角部が丸められていてもよい。また、複数の透明構造体の全てが同一形状であってもよいし、全て又は一部の透明構造体の形状が異なっていてもよい。
本考案においては、全ての透明構造体が同形状であることが好ましく、本置物の全体形状が、多角柱状、多角錐台状、楕円柱状、楕円錐台状、円柱状又は円錐台状であることが好ましい。尚、透明構造体の寸法は全て同一である必要はなく、例えば、上段に配置される透明構造体ほど、横断面積を小さくすることで、階段状の置物とすることができる。
特に、本置物の全体形状は、全ての透明構造体の形状及び寸法が同一であり、四角柱状、楕円柱状又は円柱状となっていることが好ましい。
【００１１】
前記透明構造体の形状が柱状体（板状体も含む）である場合、その厚みは特に限定されないが、例えば、１００ｍｍ以下、特に１０〜１００ｍｍ、特に１０〜５０ｍｍとすることができる。この厚みが１００ｍｍ以下である場合、後述する加飾層を透明構造体に形成した際、光の屈折効果により、多様な外観を楽しむことができる。
また、前記透明構造体の形状が柱状体である場合、その横断面積（後述の貫通孔部の面積も含む）は特に限定されないが、例えば、９００ｃｍ２以下、特に２５〜９００ｃｍ２、更には２５〜４００ｃｍ２とすることができる。
尚、これらの寸法は、複数の透明構造体の全てが同一であってもよいし、全て又は一部が異なっていてもよい。
【００１２】
また、前記透明構造体には、上下方向に貫通する貫通孔が１つ形成されている。
この「貫通孔」の開口形状は特に限定されず、例えば、円形状、楕円形状、多角形状等の形状とすることができる。これらのなかでも、円形状であることが好ましい。
貫通孔の寸法は、後述の支柱を回転軸として、透明構造体を回転させることが可能な限り特に限定されず、支柱の形状及び寸法により適宜調整される。例えば、この貫通孔の開口形状が円形状である場合、その直径は、例えば、５０ｍｍ以下、特に１０〜３０ｍｍとすることができる。
また、この貫通孔が形成される位置は特に限定されないが、透明構造体の中心に形成されることが好ましい。尚、この貫通孔は、全ての透明構造体において同一位置に形成されていてもよいし、全て又は一部の透明構造体において異なった位置に形成されていてもよい。
【００１３】
前記透明構造体の材質としては、例えば、ＰＭＭＡ等のアクリル樹脂、ＭＳ樹脂等のアクリル酸エステル・スチレン共重合体、ポリカーボネート樹脂、シクロオレフィン系ポリマー（ＣＯＰ）等が用いられる。これらのなかでも、アクリル樹脂が好ましい。
また、この透明構造体は、無色透明であってもよいし、着色透明であってもよい。
【００１４】
また、本考案の置物に用いられる透明構造体の個数は特に限定されないが、例えば、２〜１００個、特に３〜２０個、更には３〜１０個とすることができる。
【００１５】
また、前記透明構造体の表面の少なくとも一部には、加飾層を形成することができる。
前記「加飾層」の形成方法は特に限定されず、公知の印刷方法を適用することができるが、高精細な加飾が可能であるという観点から、インクジェット方式による印刷法を用いることが好ましい。インクジェット方式の印刷によれば、作図はもちろんのこと、濃淡、色調等を容易に設定することができ、発生する初期費用を大きく低減させることができる。また、全てをコンピュータ制御により処理することができ、容易に、所望の模様を形成することができる。このため、被加飾部の特定の部分のみに印刷することができ、模様と共に文字等を同時に印刷することもできる。
前記加飾層の形成位置は特に限定されないが、加飾層が上方又は側面側から透過して視認できるように、下面の少なくとも一部に形成することが好ましい。
【００１６】
また、特定の厚みを有する透明構造体に加飾層が形成された場合には、図６及び図７に示すように、貫通孔２１が形成された透明構造体２を視認する角度によって、下面に形成された加飾層の実像５１に加え、光の屈折効果により加飾層の虚像５２が映し出され、より趣きがあり、デザイン性に優れた置物を得ることができる。
【００１７】
また、加飾層が形成される透明構造体の被加飾面には、インク受理層（アンダーコート層）を形成することが好ましい。この場合、確実にアクリル樹脂等の表面に印刷を施すことができる。
更に、加飾層の表面には、トップコート層を形成することが好ましい。この場合、形成された加飾層を十分に保護することができる。
【００１８】
本考案における前記「支柱」は、２段以上に積み重ねられた前記透明構造体の貫通孔を全て貫通するように配設されており、この支柱が回転軸となることにより、前記の各透明構造体が独立に回転可能となる（図２参照）。
【００１９】
支柱の形状は、前記透明構造体における貫通孔に嵌挿できる限り、特に限定されない。例えば、三角形、四角形、五角形、六角形及び八角形等の多角形、楕円形又は円形の横断面を有する柱状体や筒体を挙げることができる。これらのなかでも、円形の横断面を有する柱状体又は筒体が好ましい。この支柱が有底状の筒体である場合には、生花や造花等を飾って本置物を花器として利用することができる。更に、透明な筒体である場合には、ライト等の発光物や着色された液体等を挿入することで、よりデザイン性に優れた置物とすることができる。
【００２０】
前記支柱の長さは、前記透明構造体の回転軸として機能する限り特に限定されず、積み重ねられる透明構造体の寸法及び個数によって適宜調整される。尚、この支柱は透明構造体の上方側に突き出ていてもよい。
また、支柱の材質は特に限定されず、例えば、透明性樹脂、ガラス等が挙げられる。また、市販の透明な試験管を用いてもよい。
【００２１】
本考案の置物は、特に、（Ａ）四角形の横断面を有する柱状体であり、上下方向に貫通する貫通孔を１つ有しており、且つアクリル樹脂からなる透明構造体と、（Ｂ）前記透明構造体の表面の少なくとも一部に形成された加飾層と、（Ｃ）１本の支柱と、を備える置物であって、前記透明構造体は２段以上に積み重ねられており、積み重ねられた全体形状は柱状であり、前記加飾層はインクジェット印刷により形成されており、且つ前記支柱は各透明構造体の前記貫通孔を全て貫通するように配設されており、各透明構造体は前記支柱を回転軸として独立に回転可能であることを特徴とする置物とすることができる。
【００２２】
また、本考案の置物は、特に、（Ａ）四角形の横断面を有する柱状体であり、上下方向に貫通する貫通孔を１つ有しており、且つアクリル樹脂からなる透明構造体と、（Ｂ）前記透明構造体の下面の少なくとも一部に形成された加飾層と、（Ｃ）１本の透明な有底状の筒体と、を備える置物であって、前記透明構造体は３〜１０段積み重ねられており、積み重ねられた全体形状は柱状であり、前記加飾層はインクジェット印刷により形成されており、且つ前記筒体は各透明構造体の前記貫通孔を全て貫通するように配設されており、各透明構造体は前記筒体を回転軸として独立に回転可能であることを特徴とする置物とすることができる。
【００２３】
また、本考案の置物は、積み重ねられた前記透明構造体の最下段に、上面側が開放された有底の孔部を有する最下段用透明構造体を更に備えていてもよい。
この際、前記支柱の底部が最下段用透明構造体の孔部に収納されるため、持ち運び等の際における支柱の落下を防ぐことができる。
【実施例】
【００２４】
以下、図面を参照して、本考案について更に詳細に説明する。
<第１実施形態>
以下、本考案の実施形態について図１〜３を参照しつつ具体的に説明する。
ここで、図１及び図２は本考案の置物の構成を説明する模式図を示し、図３は透明構造体の構成を説明する模式図を示している。
【００２５】
図１及び図２に示すように、置物１は四角柱状の全体形状を有しており、６段に積み重ねられた透明構造体２と、各透明構造体２に形成されている貫通孔２１を全て貫通するように配設された１本の支柱３とを備えている。
【００２６】
各透明構造体２はアクリル樹脂製であり、図３に示すように平面形状が四角形の板状体である（寸法；縦１００ｍｍ、横１００ｍｍ、厚み３０ｍｍ）。また、各透明構造体２の中心には、上下方向に貫通する貫通孔２１（直径２０ｍｍ）が１つ形成されている。
支柱３は、ガラス製の透明な有底状の筒体（寸法；長さ１８０ｍｍ、外径１８ｍｍ、内径１７ｍｍ）であり、前記各透明構造体２は、この支柱３を回転軸として独立に回転可能（図２参照）となっている。
【００２７】
第１実施形態によれば、図２に示すように、各透明構造体２は、この支柱３を回転軸として独立に回転可能となっており、置物１の外観を多様に変化させることができる。
また、各透明構造体２は透明なアクリル樹脂製であるため、前記外観の変化に伴い、多様な光の屈折効果を楽しむことができる。
更に、支柱３が筒体となっているため、生花６及び水を筒体に挿入することで、一輪挿し等の花器としても利用することができる。また、ライト等の発光物や着色された液体等を挿入することで、よりデザイン性に優れた置物とすることができる。
【００２８】
<第２実施形態>
次に、本考案の第２実施形態について図４及び図５を参照しつつ説明する。尚、第１実施形態と同一の構成については、同一の符号を付し、構造及びその作用効果等の説明を省略する。
この第２実施形態では、各透明構造体２の下面（裏面）に、それぞれ、加飾層が形成されている点において、第１実施形態と異なっている。
ここで、図４は下面に加飾層が形成された透明構造体を説明する模式図を示し、図５は第２実施形態の置物を上方側から見た際の加飾層を説明する模式図を示す。
【００２９】
図４に示すように、各透明構造体２の裏面には、加飾層４が上方又は側面側から透過して視認できるように形成されている。そして、この加飾層４は、１〜６段目の各透明構造体２の裏面に印刷位置をずらして形成されており、上方側からは、図５に示すように、最上段の透明構造体２の裏面に形成された加飾層４１、２段目に形成された加飾層４２、３段目に形成された加飾層４３、４段目に形成された加飾層４４、５段目に形成された加飾層４５、６段目に形成された加飾層４６を視認することができる。
【００３０】
各加飾層４（４１〜４６）は、花弁模様であり、予め撮影しておいた花弁のデジタル画像を基に、インクジェット方式の印刷により形成されている。
また、透明構造体２における被加飾面には、インク受理層（アンダーコート層）が形成されており（図示せず）、各加飾層４（４１〜４６）の表面には、トップコート層が形成されている（図示せず）。
【００３１】
第２実施形態によれば、図４に示すように、透明構造体２の下面に加飾層４を備えており、加飾層４の実像（図６及び図７における実像５１参照。）に加え、光の屈折効果により加飾層４の虚像（図６及び図７における虚像５２参照。）が各透明構造体２に映し出され、より趣きがあり、デザイン性に優れた置物とすることができる。
また、加飾層４は、デジタル写真等のデジタル画像データを基に、インクジェット印刷により形成されているため、高精細な画像を表現することができ、よりデザイン性に優れた置物とすることができる。例えば、図５に示すように、本物の花弁が散っているかのようなデザインを付与することができる。更に、各透明構造体２は独立に回転可能であるため、置物の表情を多様に変化させることができる。
【００３２】
尚、本考案においては、図面によって説明した前記実施形態に限定されるものではなく、目的、用途に基づいて本考案の範囲内で種々変更した実施形態とすることができる。
例えば、前記第１及び第２実施形態において、最下段に配置された透明構造体２の代わりに、上面側が開放された有底の孔部を有する最下段用透明構造体（図示せず）を最下段に配置してもよい。この場合、筒体が最下段用透明構造体の孔部に収納されるため、置物１の持ち運び等の際に、筒体（支柱）３の落下を防ぐことができる。
【図面の簡単な説明】
【００３３】
【図１】本考案の一例の置物の構成を説明する模式図である。
【図２】本考案の一例の置物の構成を説明する模式図である。
【図３】透明構造体の構成を説明する模式図である。
【図４】下面に加飾層が形成された透明構造体を説明する模式図である。
【図５】本考案の一例の置物を上方から見た際の加飾層を説明する模式図である。
【図６】透明構造体に形成された加飾層の実像及び虚像を説明する模式図である。
【図７】透明構造体に形成された加飾層の実像及び虚像を説明する模式図である。
【符号の説明】
【００３４】
１；置物、２；透明構造体、２１；貫通孔、３；支柱、４、４１、４２、４３、４４、４５、４６；加飾層、５１；実像、５２；虚像、６；生花。
【図１】
0003128189.tif 000003
【図２】
0003128189.tif 000004
【図３】
0003128189.tif 000005
【図４】
0003128189.tif 000006
【図５】
0003128189.tif 000007
【図６】
0003128189.tif 000008
【図７】
0003128189.tif 000009